(57)【要約】  室外機は、機械部品を収納する機械室が内部に形成される複数の機械ユニットと、複数の機械ユニットの仕切り壁同士の間の送風室に設けられ、空気の流れを発生させる送風機と、送風機の上流側に設けられ、送風機によって送られた空気と冷媒との間で熱交換を行う熱交換器と、を備え、複数の機械ユニットの少なくとも一つの仕切り壁は、熱交換器側に設けられ、熱交換器側から送風機の回転軸に向かって傾斜する第１の領域と、第１の領域よりも下流側に設けられ、第１の領域よりも傾斜が緩やかな第２の領域と、第２の領域よりも下流側に設けられ、第２の領域よりも傾斜が急な第３の領域と、を有する。
2020044482.tif 000002
【特許請求の範囲】
【請求項１】
機械部品を収納する機械室が内部に形成される複数の機械ユニットと、
前記複数の機械ユニットの仕切り壁同士の間の送風室に設けられ、空気の流れを発生させる送風機と、
前記送風機の上流側に設けられ、前記送風機によって送られた空気と冷媒との間で熱交換を行う熱交換器と、を備え、
前記複数の機械ユニットの少なくとも一つの前記仕切り壁は、
前記熱交換器側に設けられ、前記熱交換器側から前記送風機の回転軸に向かって傾斜する第１の領域と、
前記第１の領域よりも下流側に設けられ、前記第１の領域よりも傾斜が緩やかな第２の領域と、
前記第２の領域よりも下流側に設けられ、前記第２の領域よりも傾斜が急な第３の領域と、を有する
室外機。
【請求項２】
前記送風機の上流端は、
前記第２の領域に対向する位置にある
請求項１記載の室外機。
【請求項３】
前記送風機の周囲を囲むベルマウスを更に備え、
前記第２の領域の上流端は、
前記ベルマウスの上流端よりも上流側に位置する
請求項１又は２記載の室外機。
【請求項４】
前記第２の領域の下流端は、
前記ベルマウスの上流端よりも下流側に位置する
請求項３記載の室外機。
【請求項５】
前記第１の領域、前記第２の領域及び前記第３の領域は、
前記仕切り壁のうち、前記回転軸の方向からみて、前記ベルマウスと対向する部分に形成されている
請求項３又は４記載の室外機。
【請求項６】
請求項１〜５のいずれか１項に記載の室外機を備える
冷凍サイクル装置。
【発明の詳細な説明】
【技術分野】
【０００１】
本発明は、機械部品を収納する機械室が内部に形成される機械ユニットを備える室外機及び冷凍サイクル装置に関する。
【背景技術】
【０００２】
従来、機械部品を収納する機械室が内部に形成される機械ユニットを備える室外機が知られている。特許文献１には、空気の流れの上流側に一対の熱交換器が設けられた室外機が開示されている。特許文献１の熱交換器のうち一方は、左側面から背面にかけて延びており、他方は、右側面から背面にかけて延びている。そして、二つの熱交換器の間には、圧縮機を格納する機械室が形成されている。特許文献２には、空気の流れの上流側に設けられたＵ字状の熱交換器と、下流側に設けられた左右対称のファンとを備え、ファンの両側方に設けられた一対の機械室が形成された室外機が開示されている。機械室には、圧縮機等が格納される。
【先行技術文献】
【特許文献】
【０００３】
【特許文献１】特開２００２−２６７２０７号公報
【特許文献２】特開平６−２１３１９８号公報
【発明の概要】
【発明が解決しようとする課題】
【０００４】
しかしながら、特許文献１に開示された室外機は、ファンの上流側に、気流が通過する熱交換器と、気流を遮る機械室とが設けられているため、機械室による後流が発生する。渦を含む乱れた空気が、ファンの翼の前縁に流入すると、翼で剥離が発生するおそれがあり、また、翼表面の圧力変動を発生させるおそれがある。これにより、エネルギー損失及び騒音の要因となる。また、特許文献２に開示された室外機は、ファンの側面の空間である翼と機械室との壁間が狭い。ここで、ファンが大風量で運転するとき、翼の側面からも気流が吸い込まれる。しかし、機械室との壁間が狭いため、空気を吸引することができず、風量が小さくなる。これにより、ファンの特性が低下して、消費電力増加及び騒音の要因となる。一方、ファンと機械室との間の距離を空けようとすると、機械室が狭くなり、機械部品の収納量が減る。消費電力削減及び騒音抑制を実現しつつ、機械部品の収納量を維持することが望まれている。【０００５】
本発明は、上記のような課題を解決するためになされたもので、消費電力削減及び騒音抑制を実現しつつ、機械部品の収納量を維持する室外機及び冷凍サイクル装置を提供するものである。
【課題を解決するための手段】
【０００６】
本発明に係る室外機は、機械部品を収納する機械室が内部に形成される複数の機械ユニットと、複数の機械ユニットの仕切り壁同士の間の送風室に設けられ、空気の流れを発生させる送風機と、送風機の上流側に設けられ、送風機によって送られた空気と冷媒との間で熱交換を行う熱交換器と、を備え、複数の機械ユニットの少なくとも一つの仕切り壁は、熱交換器側に設けられ、熱交換器側から送風機の回転軸に向かって傾斜する第１の領域と、第１の領域よりも下流側に設けられ、第１の領域よりも傾斜が緩やかな第２の領域と、第２の領域よりも下流側に設けられ、第２の領域よりも傾斜が急な第３の領域と、を有する。
【発明の効果】
【０００７】
本発明によれば、仕切り壁が、第１の領域、第２の領域及び第３の領域を有している。第２の領域は、第１の領域より傾斜が緩やかであるため、第１の領域に沿ってファン側に流入する空気が、第２の領域に妨げられずに送風機側に到達する。このため、送風機による空気の量を維持することができる。また、第３の領域は、第２の領域より傾斜が急であるため、第３の領域に相当する位置の機械室を広げることができる。従って、消費電力削減及び騒音抑制を実現しつつ、機械部品の収納量を維持することができる。
【図面の簡単な説明】
【０００８】
【図１】本発明の実施の形態１に係る冷凍サイクル装置５０を示す回路図である。
【図２】本発明の実施の形態１に係る室外機１を示す斜視図である。
【図３】本発明の実施の形態１に係る室外機１のパネル群２を外した状態を示す斜視図である。
【図４】本発明の実施の形態１に係る室外機１を示す正面図である。
【図５】本発明の実施の形態１に係る室外機１の上面パネル２ｄを透視した上面図である。
【図６】本発明の実施の形態１に係る室外機１を示す断面図である。
【図７】本発明の実施の形態１に係る機械ユニット１０の仕切り壁１４ａと回転軸ＺＺとの距離の変化を示すグラフである。
【図８】本発明の実施の形態１に係る送風機３の風量と圧力との関係を示すグラフである。
【図９】本発明の実施の形態１に係る室外機１を示す断面図である。
【図１０】比較例に係る室外機１０００を示す断面図である。
【図１１】本発明の実施の形態２に係る室外機１００を示す断面図である。
【図１２】本発明の実施の形態３に係る室外機２００を示す断面図である。
【図１３】本発明の実施の形態３に係る機械ユニット１０の仕切り壁１４ａと回転軸ＺＺとの距離の変化を示すグラフである。
【図１４】本発明の実施の形態４に係る室外機３００を示す断面図である。
【図１５】本発明の実施の形態５に係る室外機４００を示す断面図である。
【図１６】本発明の実施の形態６に係る室外機５００を示す正面図である。
【図１７】本発明の実施の形態６の変形例に係る室外機５００ａを示す正面図である。
【図１８】本発明の実施の形態７に係る送風機６０３を示す斜視図である。
【図１９】本発明の実施の形態７に係る室外機６００を示す断面図である。
【図２０】本発明の実施の形態８に係る室外機７００を示す断面図である。
【図２１】本発明の実施の形態９に係る室外機８００を示す断面図である。
【図２２】本発明の実施の形態１０に係る室外機９００を示す断面図である。
【発明を実施するための形態】
【０００９】
実施の形態１．
以下、本発明に係る室外機及び冷凍サイクル装置の実施の形態について、図面を参照しながら説明する。図１は、本発明の実施の形態１に係る冷凍サイクル装置５０を示す回路図である。図１に示すように、冷凍サイクル装置５０は、室内空間の空気を調整する空気調和機であり、室外機１と、室内機１ａとを備えている。室外機１には、圧縮機８、流路切替装置２２、熱交換器７、送風機３及び膨張部２３が設けられている。室内機１ａには、室内熱交換器２４及び室内送風機２５が設けられている。
【００１０】
圧縮機８、流路切替装置２２、熱交換器７、膨張部２３及び室内熱交換器２４が配管により接続されて冷媒回路２１が構成されている。圧縮機８は、低温且つ低圧の状態の冷媒を吸入し、吸入した冷媒を圧縮して高温且つ高圧の状態の冷媒にして吐出するものである。流路切替装置２２は、冷媒回路２１において冷媒が流れる方向を切り替えるものであり、例えば四方弁である。熱交換器７は、例えば室外空気と冷媒との間で熱交換するものである。熱交換器７は、冷房運転時には凝縮器として作用し、暖房運転時には蒸発器として作用する。
【００１１】
送風機３は、熱交換器７に室外空気を送る機器である。膨張部２３は、冷媒を減圧して膨張する減圧弁又は膨張弁である。膨張部２３は、例えば開度が調整される電子式膨張弁である。室内熱交換器２４は、例えば室内空気と冷媒との間で熱交換するものである。室内熱交換器２４は、冷房運転時には蒸発器として作用し、暖房運転時には凝縮器として作用する。室内送風機２５は、室内熱交換器２４に室内空気を送る機器である。
【００１２】
（運転モード、冷房運転）
次に、冷凍サイクル装置５０の運転モードについて説明する。先ず、冷房運転について説明する。冷房運転において、圧縮機８に吸入された冷媒は、圧縮機８によって圧縮されて高温且つ高圧のガス状態で吐出する。圧縮機８から吐出された高温且つ高圧のガス状態の冷媒は、流路切替装置２２を通過して、凝縮器として作用する熱交換器７に流入し、熱交換器７において、送風機３によって送られる室外空気と熱交換されて凝縮液化する。凝縮された液状態の冷媒は、膨張部２３に流入し、膨張部２３において膨張及び減圧されて低温且つ低圧の気液二相状態の冷媒となる。そして、気液二相状態の冷媒は、蒸発器として作用する室内熱交換器２４に流入し、室内熱交換器２４において、室内送風機２５によって送られる室内空気と熱交換されて蒸発ガス化する。このとき、室内空気が冷やされ、室内において冷房が実施される。蒸発した低温且つ低圧のガス状態の冷媒は、流路切替装置２２を通過して、圧縮機８に吸入される。
【００１３】
（運転モード、暖房運転）
次に、暖房運転について説明する。暖房運転において、圧縮機８に吸入された冷媒は、圧縮機８によって圧縮されて高温且つ高圧のガス状態で吐出する。圧縮機８から吐出された高温且つ高圧のガス状態の冷媒は、流路切替装置２２を通過して、凝縮器として作用する室内熱交換器２４に流入し、室内熱交換器２４において、室内送風機２５によって送られる室内空気と熱交換されて凝縮液化する。このとき、室内空気が暖められ、室内において暖房が実施される。凝縮された液状態の冷媒は、膨張部２３に流入し、膨張部２３において膨張及び減圧されて低温且つ低圧の気液二相状態の冷媒となる。そして、気液二相状態の冷媒は、蒸発器として作用する熱交換器７に流入し、熱交換器７において、送風機３によって送られる室外空気と熱交換されて蒸発ガス化する。蒸発した低温且つ低圧のガス状態の冷媒は、流路切替装置２２を通過して、圧縮機８に吸入される。
【００１４】
図２は、本発明の実施の形態１に係る室外機１を示す斜視図である。図２に示すように、室外機１は、パネル群２と、ファンガード５と、内部構成品１８とを有している。パネル群２は、室外機１の外郭を構成する筐体であり、底面パネル２ｃと、正面パネル２ａと、２個の側面パネル２ｂと、上面パネル２ｄとを有している。底面パネル２ｃは、地面又は床等に載置される板状の部材である。正面パネル２ａは、底面パネル２ｃの一辺に設けられ、空気が吹き出す開口である吹出し口４が形成された板状の部材である。２個の側面パネル２ｂは、底面パネル２ｃの他辺に設けられ、室外機１の側面を塞ぐ板状の部材である。上面パネル２ｄは、２個の側面パネル２ｂ及び正面パネル２ａの上端に設けられ、室外機１の上面を塞ぐ部材である。ファンガード５は、吹出し口４に取り付けられ、網目状をなしており、内部構成品１８に異物が接触することを抑制している。なお、気流６は、室外機１の背面側から正面側に向かって流れる。
【００１５】
図３は、本発明の実施の形態１に係る室外機１のパネル群２を外した状態を示す斜視図である。図３に示すように、内部構成品１８は、２個の機械ユニット１０と、熱交換器７と、サポート２０と、送風機３と、ベルマウス１２とを有している。２個の機械ユニット１０は、底面パネル２ｃの両端から立設しており、機械部品を収納する機械室１０ａが内部に形成されている。本実施の形態１では、圧縮機８が、一方の機械ユニット１０の機械室１０ａに格納され、コントローラ９が、他方の機械ユニット１０の機械室１０ａに格納されている。機械ユニット１０の機械室１０ａには、そのほかに、冷媒が流れる配管及び膨張部２３等が格納されている。熱交換器７は、Ｕ字状をなしており、送風機３の上流側に設けられ、冷媒と空気との間で熱交換を行う。なお、室外機１の背面には空気の吸込み口４ａが形成されており、熱交換器７は吸込み口４ａに設けられている。
【００１６】
サポート２０は、底面パネル２ｃから熱交換器７に沿って立設しており、送風機３のモータ１１を支持する。送風機３は、２個の機械ユニット１０の内側を構成する仕切り壁１４ａ同士の間に形成された送風室１３に設けられ、モータ１１と、シャフト１１ａと、ボス１１ｂと、翼１１ｃとを有する例えばプロペラファンである。モータ１１は、翼１１ｃを回転駆動するものであり、サポート２０に支持されている。シャフト１１ａは、モータ１１の回転により回転する軸である。ボス１１ｂは、シャフト１１ａの先端に取り付けられ、モータ１１との間に翼１１ｃを挟み込んで、翼１１ｃが外れることを抑制している。翼１１ｃは、シャフト１１ａに取り付けられ、モータ１１及びシャフト１１ａによって回転し、吸込み口４ａから吸い込んだ空気を、吹出し口４から吹き出す。
【００１７】
図４は、本発明の実施の形態１に係る室外機１を示す正面図であり、図５は、本発明の実施の形態１に係る室外機１の上面パネル２ｄを透視した上面図である。図４及び図５に示すように、ベルマウス１２は、送風機３の周囲を囲っており、室外機１の内側と外側とを連通している。なお、図５の一点破線は、送風機３の回転軸ＺＺの中心を示す線である。空気は、熱交換器７側の吸込み口４ａから吸い込まれ、熱交換器７及び送風機３を通過して、吹出し口４から吹き出す。
【００１８】
図６は、本発明の実施の形態１に係る室外機１を示す断面図であり、図４のＡ−Ａ断面図である。Ａ−Ａ断面線は、送風機３の回転軸ＺＺをとおる線である。図６に示すように、一方の機械ユニット１０の仕切り壁１４ａと回転軸ＺＺとの距離を、送風機３の回転軸ＺＺに垂直な線分で示し、距離Ｗと定義する。仕切り壁１４ａは、第１の領域Ａと、第２の領域Ｂと、第３の領域Ｃとを有している。第１の領域Ａは、熱交換器７側に設けられ、熱交換器７側から送風機３の回転軸ＺＺに向かって傾斜する部分である。第２の領域Ｂは、第１の領域Ａよりも下流側に設けられ、第１の領域Ａよりも傾斜が緩やかな部分である。第３の領域Ｃは、第２の領域Ｂよりも下流側に設けられ、第２の領域Ｂよりも傾斜が急な部分である。ここで、本実施の形態１では、両側の仕切り壁１４ａの形状が、回転軸ＺＺに対して線対称である。即ち、一方の仕切り壁１４ａと回転軸ＺＺとの距離Ｗと、他方の仕切り壁１４ａと回転軸ＺＺとの距離Ｗとが同じである。これにより、送風機３に流入する空気の流れが、両側方において同等となるため、騒音を抑制することができる。なお、一方の仕切り壁１４ａと回転軸ＺＺとの距離Ｗと、他方の仕切り壁１４ａと回転軸ＺＺとの距離Ｗとは、異なっていてもよい。
【００１９】
なお、第１の領域Ａと第２の領域Ｂとが接続される部分を第１の変化点１５ａｂと呼称する。また、第２の領域Ｂと第３の領域Ｃとが接続される部分を第２の変化点１５ｂｃと呼称する。更に、第３の領域Ｃの下流端の部分を第３の変化点１５ｃｄと呼称する。なお、第３の変化点１５ｃｄよりも下流側の部分を、第４の領域Ｄとする。第１の領域Ａの上流端と回転軸ＺＺとの距離をＷ１とし、第１の変化点１５ａｂと回転軸ＺＺとの距離をＷ２とし、第２の変化点１５ｂｃと回転軸ＺＺとの距離をＷ３とし、第３の変化点１５ｃｄと回転軸ＺＺとの距離をＷ４とする。
【００２０】
ここで、第２の領域Ｂの上流端である第１の変化点１５ａｂは、ベルマウス１２の上流端よりも上流側に位置している。送風機３の側面から吸い込まれた空気は、仕切り壁１４ａの第１の領域Ａに沿って流れたあと、仕切り壁１４ａの第２の領域Ｂに沿って流れる。第１の変化点１５ａｂがベルマウス１２の上流端１２ａよりも上流側に位置することによって、空気は、ベルマウス１２に流入するまでに第２の領域Ｂに沿って流れる。従って、ベルマウス１２に流入するまでに空気が流れる空間を充分に確保することができる。
【００２１】
図７は、本発明の実施の形態１に係る機械ユニット１０の仕切り壁１４ａと回転軸ＺＺとの距離の変化を示すグラフである。図７において、横軸は仕切り壁１４ａの上流端から下流端にかけての回転軸ＺＺ方向における位置を示す。図７において、縦軸は一方の機械ユニット１０の仕切り壁１４ａと回転軸ＺＺとの間の距離Ｗを示す。図７に示すように、第２の領域Ｂにおける距離Ｗの変化量は、第１の領域Ａにおける距離Ｗの変化率及び第３の領域Ｃにおける距離Ｗの変化量よりも小さい。即ち、第２の領域Ｂに位置する送風室１３の空間変化量が、第１の領域Ａ及び第３の領域Ｃに位置する送風室１３の空間変化量よりも小さい。
【００２２】
図８は、本発明の実施の形態１に係る送風機３の風量と圧力との関係を示すグラフである。図８において、横軸は送風機３の風量を示し、縦軸は送風機３が送る空気の圧力を示す。図８に示すように、風量が小さく圧力が大きい運転ポイント（１）の場合、室外機１の側面側から流入する空気は、その場で渦を巻き、送風機３の下流側に到達し難い。一方、風量が大きく圧力が小さい運転ポイント（２）の場合、室外機１の側面側から流入する空気が送風機３の下流側に到達し易い。本実施の形態１のように、送風機３が、ベルマウス１２より翼１１ｃが上流側にせり出したプロペラファンである場合、送風機３は、側面側からも空気を吸い込む。本実施の形態１において、送風機３が、風量が大きく圧力が小さい運転ポイント（２）で運転することによって、側面からの空気の吸込み量が顕著に増える。なお、送風機３の上流側の熱交換器７において空気が通過する面積が広いほど、通風抵抗が小さくなり、この場合、運転ポイント（２）の状態となる。
【００２３】
図９は、本発明の実施の形態１に係る室外機１を示す断面図である。図９に示すように、熱交換器７を通過した気流６は、送風機３の回転軸方向に平行の方向から流入する気流６ａと、仕切り壁１４ａに沿って送風機３の側面から流入する気流６ｂ，６ｃとがある。本実施の形態１は、熱交換器７における空気が通過する面積が広いため、通風抵抗が小さい運転状態となる。本実施の形態１によれば、仕切り壁１４ａが、第１の領域Ａ、第２の領域Ｂ及び第３の領域Ｃを有している。第２の領域Ｂは、第１の領域Ａより傾斜が緩やかであるため、第１の領域Ａに沿ってファン側に流入する空気が、第２の領域Ｂに妨げられずにファン側に到達する。このため、送風機３による空気の量を維持することができる。また、第３の領域Ｃは、第２の領域Ｂより傾斜が急であるため、第３の領域Ｃに相当する位置の機械室１０ａを広げることができる。従って、消費電力削減及び騒音抑制を実現しつつ、機械部品の収納量を維持することができる。
【００２４】
図１０は、比較例に係る室外機１０００を示す断面図である。図１０に示すように、比較例の仕切り壁１４ａは、領域が分かれておらず、仕切り壁１４ａと送風機３との間の空間が狭い。このため、送風機３の側面から空気が吸い込まれ難くなり、風量が低下する。これにより、送風機３が本来有する運転効率を発揮することができず、消費電力が増加し、騒音が増加するおそれがある。これに対し、本実施の形態１は、仕切り壁１４ａが、第１の領域Ａ、第２の領域Ｂ及び第３の領域Ｃを有しており、第２の領域Ｂは、第１の領域Ａより傾斜が緩やかである。このため、気流６ｂを阻害することなく、送風機３は、送風機３の側面側からの空気を吸い込むことができる。従って、風量が増加するため、消費電力を低減し、騒音を低減することができる。また、送風機３の上流側に気流６ａを遮る機械室１０ａが存在しないため、渦を含んだ後流が翼１１ｃに流入しない。このため、翼１１ｃの前縁での剥離によるエネルギーロスを抑制し、翼１１ｃ面上での圧力変動による音が発生することを抑制することができる。
【００２５】
実施の形態２．
図１１は、本発明の実施の形態２に係る室外機１００を示す断面図である。本実施の形態２は、仕切り壁１４ａの第２の領域Ｂに凸部１０１が設けられている点で、実施の形態１と相違する。本実施の形態２では、実施の形態１と同一の部分は同一の符号を付して説明を省略し、実施の形態１との相違点を中心に説明する。
【００２６】
図１１に示すように、両側の仕切り壁１４ａの第２の領域Ｂに、それぞれ２個の凸部１０１が設けられている。これにより、仕切り壁１４ａの強度を向上させることができる。なお、本実施の形態２では、凸部１０１を設けているが、凹部としてもよい。また、本実施の形態２において、一方の仕切り壁１４ａと回転軸ＺＺとの距離を、図７に示すグラフに当てはめようとする場合、凸部１０１のうち送風室１３に最も近い位置と回転軸ＺＺとを結んで距離Ｗを定義すればよい。この場合、凸部１０１が設けられていない部分の距離Ｗは、グラフに反映しない。
【００２７】
実施の形態３．
図１２は、本発明の実施の形態３に係る室外機２００を示す断面図である。図１２に示すように、本実施の形態３は、仕切り壁１４ａが曲面で構成されている点で、実施の形態１と相違する。本実施の形態３では、実施の形態１と同一の部分は同一の符号を付して説明を省略し、実施の形態１との相違点を中心に説明する。
【００２８】
図１３は、本発明の実施の形態３に係る機械ユニット１０の仕切り壁１４ａと回転軸ＺＺとの距離の変化を示すグラフである。図１３において、横軸は仕切り壁１４ａの上流端から下流端にかけての回転軸方向における位置を示す。図１３において、縦軸は一方の機械ユニット１０の仕切り壁１４ａと回転軸ＺＺとの間の距離Ｗを示す。図１３に示すように、仕切り壁１４ａの第１の領域Ａ、第２の領域Ｂ及び第３の領域Ｃのいずれもが曲線となっている。第１の領域Ａは上に凸の形状をなし、第２の領域Ｂは下に凸の形状をなし、第３の領域Ｃは上に凸の形状をなしている。即ち、第１の変化点１５ａｂ及び第２の変化点１５ｂｃにおいて、凸の上下方向の向きが逆になる。なお、仕切り壁１４ａの傾斜の度合は、変化点同士を結んだ線分２１８を用いて、評価される。
【００２９】
実施の形態４．
図１４は、本発明の実施の形態４に係る室外機３００を示す断面図である。本実施の形態４は、第２の領域Ｂの下流端である第２の変化点１５ｂｃが、ベルマウス１２の上流端１２ａよりも下流端に位置しており、実施の形態１よりも第２の領域Ｂの下流端が、下流側にシフトしている。図１４に示すように、送風機３の側面から吸い込まれる気流６ｃは、ベルマウス１２の壁面に沿って流れる。このため、送風量を増やすためには、ベルマウス１２に流入するまでの空間において、送風機３の側面側の空間を広くすればよい。また、ベルマウス１２よりも下流側では、距離Ｗを縮めても、送風機３の風量には影響しない。従って、送風機３の風量を低下させることなく、ベルマウス１２よりも外周側の機械ユニット１０の機械室１０ａの容積を拡大することができる。
【００３０】
実施の形態５．
図１５は、本発明の実施の形態５に係る室外機４００を示す断面図である。図１５に示すように、本実施の形態５は、ベルマウス１２の上流端１２ａが、第２の領域Ｂの上流端である第１の変化点１５ａｂと第２の領域Ｂの下流端である第２の変化点１５ｂｃとの間に位置している。このため、実施の形態１と実施の形態４とで得られる効果を両立することができる。
【００３１】
実施の形態６．
図１６は、本発明の実施の形態６に係る室外機５００を示す正面図である。本実施の形態６は、第１の領域Ａ、第２の領域Ｂ及び第３の領域Ｃが、仕切り壁１４ａの一部に形成されている点で、実施の形態１と相違する。本実施の形態６では、実施の形態１と同一の部分は同一の符号を付して説明を省略し、実施の形態１との相違点を中心に説明する。
【００３２】
図１６に示すように、第１の領域Ａ、第２の領域Ｂ及び第３の領域Ｃは、仕切り壁１４ａのうち、回転軸ＺＺの方向からみて、ベルマウス１２の上端から下端にかけての範囲Ｒのみに形成されている。即ち、第１の領域Ａ、第２の領域Ｂ及び第３の領域Ｃは、仕切り壁１４ａのうち、ベルマウス１２と対向する部分に形成されている。送風室１３は、送風機３が空気を吸い込む部分のみ広ければよい。このため、本実施の形態６では、第１の領域Ａ、第２の領域Ｂ及び第３の領域Ｃは、仕切り壁１４ａのうち、ベルマウス１２の上端から下端にかけての範囲Ｒのみに形成されている。これにより、送風機３から離れた位置においては、機械ユニット１０の機械室１０ａを広げることができる。従って、室外機５００全体の大きさを拡大することなく、送風性能を向上させることができる。
【００３３】
図１７は、本発明の実施の形態６の変形例に係る室外機５００ａを示す正面図である。図１７に示すように、両側の機械ユニット５１０は、ベルマウス１２の下流端よりも下方において連通していてもよい。これにより、両側の機械ユニット５１０に設けられた機器同士を接続する配線及び配管等を、連通する部分に収納することができる。
【００３４】
実施の形態７．
図１８は、本発明の実施の形態７に係る送風機６０３を示す斜視図である。本実施の形態７は、送風機３が遠心ファンである点で実施の形態１と相違する。本実施の形態７では、実施の形態１と同一の部分は同一の符号を付して説明を省略し、実施の形態１との相違点を中心に説明する。
【００３５】
図１８に示すように、送風機６０３は遠心ファンである。これにより、室外機６００の熱交換器７の伝熱性能を高めて通風抵抗が大きくなり、プロペラファンの昇圧能力で風量を確保することができない場合に対応させることができる。送風機６０３は、主板６１１と、シュラウド６１２と、主板６１１及びシュラウド６１２に挟まれた複数の翼６１３と、ボス６１４とを有している。ボス６１４とモータ１１（図示せず）とが接続され、送風機６０３は、回転と共にシュラウド６１２側から空気を吸い込み、外周側に吹き出す。
【００３６】
図１９は、本発明の実施の形態７に係る室外機６００を示す断面図である。図１９に示すように、翼６１３の入口である前縁６１３ａは、ベルマウス１２の内周端１２ｂより外周側に位置する。このため、ベルマウス１２の外周側において空気を吸い込む風速が高い。実施の形態１〜６と同様に、室外機６００は、ベルマウス１２の入口の空間が広いため、ベルマウス１２に流入する空気の量を充分に確保することができる。なお、図１９においては、実施の形態５と同様に、ベルマウス１２の上流端１２ａが、第２の領域Ｂの上流端と第２の領域Ｂの下流端との間に位置している。このため、本実施の形態７においても、実施の形態１と実施の形態４とで得られる効果を両立することができる。
【００３７】
実施の形態１〜７では、両側の仕切り壁１４ａの形状が、回転軸ＺＺに対して線対称である場合について例示したが、両側の仕切り壁１４ａの形状が、回転軸ＺＺに対して非線対称であってもよい。この場合、一方の仕切り壁１４ａと回転軸ＺＺとの距離Ｗと、他方の仕切り壁１４ａと回転軸ＺＺとの距離Ｗとは、異なる。以下、両側の仕切り壁１４ａの形状が、回転軸ＺＺに対して非線対称である場合について例示する。
【００３８】
実施の形態８．
図２０は、本発明の実施の形態８に係る室外機７００を示す断面図である。本実施の形態８は、一方の機械ユニット７１０の仕切り壁１４ａが傾斜しておらず、平面である。この場合も、第１の領域Ａ、第２の領域Ｂ及び第３の領域Ｃを有している機械ユニット１０の仕切り壁１４ａにおいて、実施の形態１〜７と同様の効果を奏する。
【００３９】
実施の形態９．
図２１は、本発明の実施の形態９に係る室外機８００を示す断面図である。本実施の形態９は、一方の機械ユニット８１０の仕切り壁１４ａが第２の領域Ｂ及び第３の領域Ｃのみを有しており、第１の領域Ａを有していない。この場合も、第１の領域Ａ、第２の領域Ｂ及び第３の領域Ｃを有している機械ユニット１０の仕切り壁１４ａにおいて、実施の形態１〜７と同様の効果を奏する。
【００４０】
実施の形態１０．
図２２は、本発明の実施の形態１０に係る室外機９００を示す断面図である。本実施の形態１０は、一方の機械ユニット１０が、熱交換器９０７と接触していない。この場合も、第１の領域Ａ、第２の領域Ｂ及び第３の領域Ｃを有している機械ユニット１０の仕切り壁１４ａにおいて、実施の形態１〜７と同様の効果を奏する。
【００４１】
上記実施の形態では、室外機が、空気調和機の室外機である場合について例示しているが、給湯器及び冷凍装置等の冷凍サイクル装置の室外機としてもよい。
【符号の説明】
【００４２】
１  室外機、１ａ  室内機、２  パネル群、２ａ  正面パネル、２ｂ  側面パネル、２ｃ  底面パネル、２ｄ  上面パネル、３  送風機、４  吹出し口、４ａ  吸込み口、５  ファンガード、６，６ａ，６ｂ，６ｃ  気流、７  熱交換器、８  圧縮機、９  コントローラ、１０  機械ユニット、１０ａ  機械室、１１  モータ、１１ａ  シャフト、１１ｂ  ボス、１１ｃ  翼、１２  ベルマウス、１２ａ  上流端、１３  送風室、１４ａ  仕切り壁、１５ａｂ  第１の変化点、１５ｂｃ  第２の変化点、１５ｃｄ  第３の変化点、１８  内部構成品、２０  サポート、２１  冷媒回路、２２  流路切替装置、２３  膨張部、２４  室内熱交換器、２５  室内送風機、５０  冷凍サイクル装置、１００  室外機、１０１  凸部、２００  室外機、２１８  線分、３００  室外機、４００  室外機、５００  室外機、５００ａ  室外機、５１０  機械ユニット、６００  室外機、６０３  送風機、６１１  主板、６１２  シュラウド、６１３  翼、６１３ａ  前縁、６１４  ボス、７００  室外機、７１０  機械ユニット、８００  室外機、８１０  機械ユニット、９００  室外機、９０７  熱交換器、１０００  室外機、Ａ  第１の領域、Ｂ  第２の領域、Ｃ  第３の領域。
【図１】
2020044482.tif 000003
【図２】
2020044482.tif 000004
【図３】
2020044482.tif 000005
【図４】
2020044482.tif 000006
【図５】
2020044482.tif 000007
【図６】
2020044482.tif 000008
【図７】
2020044482.tif 000009
【図８】
2020044482.tif 000010
【図９】
2020044482.tif 000011
【図１０】
2020044482.tif 000012
【図１１】
2020044482.tif 000013
【図１２】
2020044482.tif 000014
【図１３】
2020044482.tif 000015
【図１４】
2020044482.tif 000016
【図１５】
2020044482.tif 000017
【図１６】
2020044482.tif 000018
【図１７】
2020044482.tif 000019
【図１８】
2020044482.tif 000020
【図１９】
2020044482.tif 000021
【図２０】
2020044482.tif 000022
【図２１】
2020044482.tif 000023
【図２２】
2020044482.tif 000024
【手続補正書】
【提出日】令和2年10月23日(2020.10.23)
【手続補正１】
【補正対象書類名】明細書
【補正対象項目名】０００６
【補正方法】変更
【補正の内容】
【０００６】
本発明に係る室外機は、機械部品を収納する機械室が内部に形成される複数の機械ユニットと、複数の機械ユニットの仕切り壁同士の間の送風室に設けられ、空気の流れを発生させる送風機と、送風機の上流側に設けられ、送風機によって送られた空気と冷媒との間で熱交換を行う熱交換器と、送風機の周囲を囲むベルマウスと、を備え、複数の機械ユニットの少なくとも一つの仕切り壁は、熱交換器側に設けられ、熱交換器側から送風機の回転軸に向かって傾斜する第１の領域と、第１の領域よりも下流側に設けられ、第１の領域よりも傾斜が緩やかな第２の領域と、第２の領域よりも下流側に設けられ、第２の領域よりも傾斜が急な第３の領域と、を有し、第２の領域の下流端は、ベルマウスの上流端よりも上流側に位置する。
【手続補正２】
【補正対象書類名】特許請求の範囲
【補正対象項目名】全文
【補正方法】変更
【補正の内容】
【特許請求の範囲】
【請求項１】
機械部品を収納する機械室が内部に形成される複数の機械ユニットと、
前記複数の機械ユニットの仕切り壁同士の間の送風室に設けられ、空気の流れを発生させる送風機と、
前記送風機の上流側に設けられ、前記送風機によって送られた空気と冷媒との間で熱交換を行う熱交換器と、
前記送風機の周囲を囲むベルマウスと、を備え、
前記複数の機械ユニットの少なくとも一つの前記仕切り壁は、
前記熱交換器側に設けられ、前記熱交換器側から前記送風機の回転軸に向かって傾斜する第１の領域と、
前記第１の領域よりも下流側に設けられ、前記第１の領域よりも傾斜が緩やかな第２の領域と、
前記第２の領域よりも下流側に設けられ、前記第２の領域よりも傾斜が急な第３の領域と、を有し、
前記第２の領域の下流端は、
前記ベルマウスの上流端よりも上流側に位置する
室外機。
【請求項２】
前記送風機の上流端は、
前記第２の領域に対向する位置にある
請求項１記載の室外機。
【請求項３】
機械部品を収納する機械室が内部に形成される複数の機械ユニットと、
前記複数の機械ユニットの仕切り壁同士の間の送風室に設けられ、空気の流れを発生させる送風機と、
前記送風機の上流側に設けられ、前記送風機によって送られた空気と冷媒との間で熱交換を行う熱交換器と、
前記送風機の周囲を囲むベルマウスと、を備え、
前記複数の機械ユニットの少なくとも一つの前記仕切り壁は、
前記熱交換器側に設けられ、前記熱交換器側から前記送風機の回転軸に向かって傾斜する第１の領域と、
前記第１の領域よりも下流側に設けられ、前記第１の領域よりも傾斜が緩やかな第２の領域と、
前記第２の領域よりも下流側に設けられ、前記第２の領域よりも傾斜が急な第３の領域と、を有し、
前記第２の領域の上流端は、
前記ベルマウスの上流端よりも上流側に位置し、
前記第２の領域の下流端は、
前記ベルマウスの上流端よりも下流側に位置する
室外機。
【請求項４】
前記第１の領域、前記第２の領域及び前記第３の領域は、
前記仕切り壁のうち、前記回転軸の方向からみて、前記ベルマウスと対向する部分に形成されている
請求項１〜３のいずれか１項に記載の室外機。
【請求項５】
請求項１〜４のいずれか１項に記載の室外機を備える
冷凍サイクル装置。
【国際調査報告】
2020044482.tif 000025
2020044482.tif 000026